(57)【要約】    【課題】  使用可能な電力の容量に応じて、画像の直接的な印刷を効率的に行うことができる印刷制御装置を提供する。    【解決手段】  カメラ一体型ＶＴＲ３００は、ＣＰＵ３０１、通信部３１１、バッテリ３１３、及びバッテリ監視部３１２を備え、ＵＳＢケーブル１２０を介して携帯型プリンタ２００に接続される。バッテリ３１３の残量が少ないときは、例えば画像サイズの小さい順に印刷順序を並び替え、バッテリ３１３の残量が少なくないときは、印刷順序を並び替える処理をスキップする。【選択図】      図９
2006227903.tif 000002
【特許請求の範囲】
【請求項１】
外部の印刷装置と通信して、所定の記録媒体に記録されているデータに対応する画像を所定の印刷用紙に印刷するための制御を行う印刷制御装置において、前記印刷制御装置に供給可能な電力の容量を検出する検出手段と、前記容量が所定値よりも低下したときに、印刷すべき画像の印刷順序を所定の順序に変更する変更手段とを備えることを特徴とする印刷制御装置。
【請求項２】
前記所定値を設定する容量所定値設定手段を備えることを特徴とする請求項１記載の印刷制御装置。
【請求項３】
前記所定の順序を設定する印刷順序設定手段を備えることを特徴とする請求項１又は２記載の印刷制御装置。
【請求項４】
前記印刷順序設定手段は、前記所定の順序が前記印刷すべき画像の画像サイズの大きい順又は小さい順となるように前記設定を行うことを特徴とする請求項３記載の印刷制御装置。
【請求項５】
前記印刷順序設定手段は、前記所定の順序が前記印刷すべき画像の画質の高い順又は低い順となるように前記設定を行うことを特徴とする請求項３記載の印刷制御装置。
【請求項６】
前記印刷順序設定手段は、前記所定の順序が前記印刷用紙のサイズの大きい順又は小さい順となるように前記設定を行うことを特徴とする請求項３記載の印刷制御装置。
【請求項７】
前記印刷順序設定手段は、前記所定の順序が前記印刷すべき画像の印刷枚数の多い順又は少ない順となるように前記設定を行うことを特徴とする請求項３記載の印刷制御装置。
【請求項８】
前記印刷順序設定手段は、前記所定の順序が前記データの記録日時の新しい順又は古い順となるように前記設定を行うことを特徴とする請求項３記載の印刷制御装置。
【請求項９】
前記記録媒体に記録されているデータの中から少なくとも１つのデータを選択する選択手段を備え、前記印刷順序設定手段は、前記所定の順序が前記データの選択日時の新しい順又は古い順となるように前記設定を行うことを特徴とする請求項３記載の印刷制御装置。
【請求項１０】
前記印刷制御装置は、当該印刷制御装置に電力を供給可能な蓄電装置を備え且つ前記印刷装置に画像データを入力する画像入力装置に設けられ、前記容量は前記蓄電装置から供給可能な電力の残量から成ることを特徴とする請求項１乃至９記載の印刷制御装置。
【請求項１１】
印刷装置と通信して、所定の記録媒体に記録されているデータに対応する画像を所定の印刷用紙に印刷するための制御を行う印刷制御方法において、使用可能な電力の容量を検出する検出ステップと、前記容量が所定値よりも低下したときに、印刷すべき画像の印刷順序を所定の順序に変更する変更ステップとを有することを特徴とする印刷制御方法。
【請求項１２】
前記所定値を設定する容量所定値設定ステップを有することを特徴とする請求項１１記載の印刷制御方法。
【請求項１３】
前記所定の順序を設定する印刷順序設定ステップを有することを特徴とする請求項１１又は１２記載の印刷制御方法。
【請求項１４】
前記印刷順序設定ステップでは、前記所定の順序が前記印刷すべき画像の画像サイズの大きい順又は小さい順となるように前記設定を行うことを特徴とする請求項１３記載の印刷制御方法。
【請求項１５】
前記印刷順序設定ステップでは、前記所定の順序が前記印刷すべき画像の画質の高い順又は低い順となるように前記設定を行うことを特徴とする請求項１３記載の印刷制御方法。
【請求項１６】
前記印刷順序設定ステップでは、前記所定の順序が前記印刷用紙のサイズの大きい順又は小さい順となるように前記設定を行うことを特徴とする請求項１３記載の印刷制御方法。
【請求項１７】
前記印刷順序設定ステップでは、前記所定の順序が前記印刷すべき画像の印刷枚数の多い順又は少ない順となるように前記設定を行うことを特徴とする請求項１３記載の印刷制御方法。
【請求項１８】
前記印刷順序設定ステップでは、前記所定の順序が前記データの記録日時の新しい順又は古い順となるように前記設定を行うことを特徴とする請求項１３記載の印刷制御方法。
【請求項１９】
前記記録媒体に記録されているデータの中から少なくとも１つのデータを選択する選択ステップを有し、前記印刷順序設定ステップでは、前記所定の順序が前記データの選択日時の新しい順又は古い順となるように前記設定を行うことを特徴とする請求項１３記載の印刷制御方法。
【請求項２０】
前記容量は、前記印刷装置に画像データを入力する画像入力装置が備える蓄電装置が供給可能な電力の残量から成ることを特徴とする請求項１１乃至１９記載の印刷制御方法。
【請求項２１】
印刷装置と通信して、所定の記録媒体に記録されているデータに対応する画像を所定の印刷用紙に印刷するための制御をコンピュータに実行させる印刷制御プログラムにおいて、使用可能な電力の容量を検出する検出モジュールと、前記容量が所定値よりも低下したときに、印刷すべき画像の印刷順序を所定の順序に変更する変更モジュールとを備えることを特徴とする印刷制御プログラム。
【請求項２２】
請求項２１記載の印刷制御プログラムを格納することを特徴とするコンピュータ読み取り可能な記憶媒体。
【発明の詳細な説明】
【技術分野】
【０００１】
本発明は、印刷制御装置、印刷制御方法、印刷制御プログラム、及び記憶媒体に関し、特に、画像データを記録する記録媒体を備えるディジタルカメラやカメラ一体型ＶＴＲ（ディジタルビデオカメラ）などによって撮影された画像データを印刷装置で直接的に印刷させるための印刷制御装置、印刷制御方法、印刷制御プログラム、及び記憶媒体に関する。
【背景技術】
【０００２】
ディジタルカメラは、撮影した画像をディジタル画像データとして所定の記録媒体に記録する。記録媒体に記録された画像データに対応する画像を印刷するためには、まず、画像データをパーソナルコンピュータ（以下、「パソコン」という）へと取り込み、次いで、パソコンに接続されているプリンタで対応する画像を出力する。
【０００３】
また、プリンタに直接的に接続可能なディジタルカメラが提案されている（例えば、特許文献１参照）。このディジタルカメラは、該ディジタルカメラのバッテリから供給された電力を利用して、接続されたプリンタに撮像した画像データを送出し、該プリンタに印刷させる制御を行う。これにより、ユーザは、パソコンを所有していなくても撮影した画像を簡便に印刷することができる。また、プリンタを携帯型に構成することにより、ユーザは、撮影した画像を外出先で印刷することができる。
【０００４】
また、ディジタルカメラには、記録媒体に記憶されている画像データに対応する画像を表示するための表示装置として液晶モニタが設けられており、液晶モニタに表示させた画像の中からユーザが印刷したい画像を個別に選択することが可能である。
【特許文献１】特開平１０−０６５８６７号公報
【発明の開示】
【発明が解決しようとする課題】
【０００５】
しかしながら、外出先で上記ディジタルカメラを用いて多数の画像を撮影すると、該ディジタルカメラのバッテリから供給される供給電力を多大に消費する。このようなときに、上記携帯型プリンタを用いてディジタルカメラで撮影した画像をその場で印刷しようとしても、印刷中に上記供給電力を完全に消費してしまう可能性がある。印刷中に供給電力を完全に消費してしまった場合には、全ての画像を印刷することができなくなり、撮影した画像を外出先で印刷できるというメリットを十分に活用することができない。
【０００６】
また、全ての画像を印刷することができないことが予想される場合には、上記ディジタルカメラでは、液晶モニタに表示させた画像の中からユーザが優先して印刷したい画像を選択することができるが、個別に選択する必要があるのでユーザの操作性が悪い。また、液晶モニタを使用するので、供給電力をさらに消費することになり、結果的には、撮影した画像を外出先で印刷できるというメリットを十分に活用することができなくなる。
【０００７】
本発明の目的は、使用可能な電力の容量に応じて、画像の直接的な印刷を効率的に行うことができる印刷制御装置、印刷制御方法、印刷制御プログラム、及び記憶媒体を提供することにある。
【課題を解決するための手段】
【０００８】
上記目的を達成するために、本発明の印刷制御装置は、外部の印刷装置と通信して、所定の記録媒体に記録されているデータに対応する画像を所定の印刷用紙に印刷するための制御を行う印刷制御装置において、前記印刷制御装置に供給可能な電力の容量を検出する検出手段と、前記容量が所定値よりも低下したときに、印刷すべき画像の印刷順序を所定の順序に変更する変更手段とを備えることを特徴とする。
【０００９】
上記目的を達成するために、本発明の印刷制御方法は、印刷装置と通信して、所定の記録媒体に記録されているデータに対応する画像を所定の印刷用紙に印刷するための制御を行う印刷制御方法において、使用可能な電力の容量を検出する検出ステップと、前記容量が所定値よりも低下したときに、印刷すべき画像の印刷順序を所定の順序に変更する変更ステップとを有することを特徴とする。
【００１０】
上記目的を達成するために、本発明の印刷制御プログラムは、印刷装置と通信して、所定の記録媒体に記録されているデータに対応する画像を所定の印刷用紙に印刷するための制御をコンピュータに実行させる印刷制御プログラムにおいて、使用可能な電力の容量を検出する検出モジュールと、前記容量が所定値よりも低下したときに、印刷すべき画像の印刷順序を所定の順序に変更する変更モジュールとを備えることを特徴とする。
【００１１】
上記目的を達成するために、本発明の記憶媒体は、上記印刷制御プログラムを格納することを特徴とする。
【発明の効果】
【００１２】
本発明によれば、供給可能な電力の容量が所定値よりも低下したときに、印刷すべき画像の印刷順序を所定の順序に変更するので、使用可能な電力の容量に応じて、画像の直接的な印刷を効率的に行うことができる。
【発明を実施するための最良の形態】
【００１３】
以下、本発明の実施の形態を図面を参照しながら詳細に説明する。
【００１４】
図１は、本発明の実施の形態に係る印刷制御装置を備える撮像装置を含む印刷システムの構成を概略的に示すブロック図である。
【００１５】
図１において、印刷システム１００は、後述する図２の印刷装置としての携帯型プリンタ２００と、被写体の画像を撮影してその画像データを取得する後述する図３の撮像装置としてのカメラ一体型ＶＴＲ（ディジタルビデオカメラ：ＤＶＣ）３００と、プリンタ２００及びＤＶＣ３００を接続するＵＳＢケーブル１２０とを備える。
【００１６】
ＤＶＣ３００は、本実施の形態に係る印刷制御装置を備え、該ＤＶＣ３００は、ＵＳＢケーブル１２０を介してプリンタ２００に画像データを送出する画像入力装置として機能する。プリンタ２００は、ＤＶＣ３００から入力された画像データに対応する画像を所定の印刷用紙に印刷する。
【００１７】
図２は、図１におけるプリンタ２００の構成を詳細に示すブロック図である。
【００１８】
図２において、プリンタ２００は、プリンタ２００の各部に対して制御／指令を行うＣＰＵ２０１と、制御プログラムが格納されているＲＯＭ２０２と、ＲＡＭ２０３と、操作部２０４と、データ処理部２０５と、印刷部２０６と、表示部２０７と、上記印刷制御装置と所定の通信プロトコルに従ってデータ通信を行う通信部２０８と、これらを接続する内部バス２２０とを備える。通信部２０８は、ＵＳＢケーブル１２０に接続可能なインターフェースを備える。操作部２０４は、プリンタ２００の電源をオン／オフで切り替えるための電源スイッチ、印刷用紙を送出するための紙送りスイッチ等を含む。
【００１９】
図３は、図１におけるＤＶＣ３００の構成を詳細に示すブロック図である。
【００２０】
図３において、ＤＶＣ３００は、ＤＶＣ３００の各部に対して制御／指令を行うＣＰＵ３０１と、制御プログラムが格納されているＲＯＭ３０２と、ＲＡＭ３０３と、カメラ部３０４と、画像処理部３０５と、表示制御部３０６と、記録媒体３０７と、画像や文字情報が表示される表示部３０８と、操作部３０９と、後述する撮影モード及び再生モードのいずれか一方の動作モードを選択的に設定する動作モード選択部３１０と、プリンタ２００と所定の通信プロトコルに従ってデータ通信を行う通信部３１１と、後述する蓄電装置としてのバッテリ３１３の容量を監視するバッテリ監視部３１２と、これらを接続する内部バス３２０とを備える。これらの構成要素のうち、少なくともＣＰＵ３０１、通信部３１１、及びバッテリ監視部３１２は、上記印刷制御装置として機能し、プリンタ２００による印刷を制御する。
【００２１】
バッテリ監視部３１２には、ＤＶＣ３００に供給する電力の最大容量が、例えば１３９０ｍＡｈのバッテリ３１３が接続されている。通信部３１１は、ＵＳＢケーブル１２０に接続可能なインターフェースを備える。また、通信部３１１は、ＤＶＣ３００及びプリンタ２００がＵＳＢケーブル１２０を介して互いに接続されている場合において、ＤＶＣ３００の後述する電源スイッチ及びプリンタ２００の電源スイッチがオンであるときに、プリンタ２００との接続が確立したことを検出する。
【００２２】
操作部３０９は、ＤＶＣ３００の電源をオン／オフで切り替えるための電源スイッチ、撮影を開始するための撮影ボタン、複数の画像データの中から所定の画像データに対応する画像を表示部３０８に表示させるための画像表示キー、表示部３０８に表示させる画像を次の画像にするための画像送りキー、表示部３０８に表示させる画像を前の画像にするための画像戻しキー、表示部３０８に表示された複数の選択項目の中から所定の選択項目を選択するための選択キー、該選択キーによって選択された項目を決定するための決定キー等を含む。なお、選択キーを介して所定の項目を選択し、該選択した項目を決定ボタンを介して決定することを、以下、「押下する」又は「選択する」という。
【００２３】
ＤＶＣ３００は、上記撮影モードでは、カメラ部３０４を介して取得した被写体からの光を画像データとして取得する撮影を行い、取得した画像データを記録媒体３０７に記録し、一方、上記再生モードでは、記録媒体３０７に記録された画像データに対応する画像を表示部３０８に表示する再生を行う。また、ＤＶＣ３００は、再生モードであるときに、通信部３１１がプリンタ２００との接続の確立を検出すると印刷モードに移行する。印刷モードでは、表示部３０８に表示された各画像に対する印刷の設定を行うことや、プリンタ２００を制御することが可能となる。
【００２４】
以下、ＤＶＣ３００が印刷モードであるときに実行される印刷設定処理について説明する。なお、本処理は、後述する図９のステップＳ９０１〜Ｓ９０２において実行される。
【００２５】
図４は、図３のＤＶＣ３００が印刷モードであるときに表示部３０８に表示される印刷メニュー画面の構成を例示する図である。
【００２６】
図４に示す印刷メニュー画面４００には、印刷に関するメニュー項目として、記録媒体３０７に記録されている全ての画像データに対応する画像を印刷する設定を行うための項目である全画像印刷４１０と、記録媒体３０７に記録されている画像データの中から所定の画像データを選択して対応する画像を印刷する設定を行うための項目である画像指定印刷４２０と、図５で後述する印刷設定を行うための項目である印刷設定４３０とが設けられており、また、印刷メニュー画面４００上には、選択キーを介しての表示位置を変更することが可能な選択カーソル４４０が表示されている。
【００２７】
図４において、選択カーソル４４０を用いて上記印刷メニューのいずれか１つのメニュー項目を選択することにより、印刷メニュー画面４００は、選択されたメニュー項目に対応する表示画面に遷移する。
【００２８】
図５は、図４の印刷メニュー画面４００においてメニュー項目として印刷設定４３０が選択されたときに表示される印刷設定画面の構成を例示する図である。
【００２９】
図５に示す印刷設定画面５００には、印刷に関する設定項目として、後述する図６を用いて説明する各画像の印刷設定５１０と、後述する図７を用いて説明する印刷優先設定５２０と、後述する図８を用いて説明するバッテリ残量警告設定５３０とが設けられていると共に、表示部３０８の表示を印刷メニュー画面４００に戻すための「戻る」ボタン５９０が設けられており、また、印刷設定画面５００上には、上記選択カーソル４４０と同様に構成された選択カーソル５５０が表示されている。
【００３０】
図５において、いずれか１つの設定項目を選択することにより、印刷設定画面５００は、選択された設定項目に対応する表示画面に遷移する。
【００３１】
図６は、図５の印刷設定画面５００において設定項目として各画像の印刷設定５１０が選択されたときに表示される各画像の印刷設定画面の構成を例示する図である。
【００３２】
図６に示す各画像の印刷設定画面６００には、印刷対象となる複数の画像のうち１つの画像のプレビュー画像６１０が表示されており、プレビュー画像６１０の印刷に関する設定項目として、画像を印刷すべき印刷用紙のサイズを設定するための設定項目である用紙サイズ６２０と、印刷すべき画像の画質（品位）を設定するための設定項目である印刷画質６３０と、該印刷用紙の枚数を設定するための設定項目である印刷枚数６４０とが設けられていると共に、プレビュー画像６１０の印刷に関する設定を決定するための「設定」ボタン６５０と、表示部３０８の表示を印刷設定画面５００に戻すための「戻る」ボタン６９０とが設けられている。
【００３３】
図６において、用紙サイズ６２０、印刷画質６３０、及び印刷枚数６４０のうち必要な設定項目に関して所定の設定を行った後、「設定」ボタン６５０を押下することにより、記録媒体３０７に記録されている複数の画像データの中から、プレビュー画像６１０に対応する画像を印刷するために、該プレビュー画像６１０に対応する画像データ（以下、「印刷データ」という）が選択される。また、該印刷データに対して行った設定内容は、当該設定内容を格納するための印刷設定ファイルに書き込まれる。
【００３４】
図７は、図５の印刷設定画面５００において設定項目として印刷優先設定５１０が選択されたときに表示される印刷優先設定画面の構成を例示する図である。
【００３５】
図７に示す印刷優先設定画面７００には、後述する図９のステップＳ９０７の複数の印刷データに対する印刷順序の並び替え処理において使用されるパラメータとして複数の印刷優先パラメータが表示されていると共に、表示部３０８の表示を印刷設定画面５００に戻すための「戻る」ボタン７９０とが設けられている。
【００３６】
上記印刷優先パラメータには、印刷すべき画像のサイズを示す画像サイズと、印刷すべき画像の画質を示す印刷画質と、画像を印刷すべき印刷用紙のサイズを示す用紙サイズと、該印刷用紙の枚数を示す印刷枚数と、画像データが作成された日時を示す作成日時とがある。
【００３７】
印刷優先設定画面７００には、各印刷優先パラメータに対して降順及び昇順のいずれかを設定するためのボタンが設けられている。具体的には、画像サイズに対して「大」ボタン７１０及び「小」ボタン７２０が、印刷画質に対して「高」ボタン７３０及び「低」ボタン７４０が、用紙サイズに対して「大」ボタン７５０及び「小」ボタン７６０が、印刷枚数に対して「多」ボタン７７０及び「少」ボタン７８０が設けられている。
【００３８】
図７においては、画像サイズの「小」ボタン７２０が選択された状態を示しており、これにより、上記印刷優先パラメータが画像サイズの昇順に設定される（印刷順序設定手段）。
【００３９】
なお、印刷優先設定画面７００上においていずれの印刷優先パラメータも選択されていないときは、印刷優先パラメータが画像データの作成日時、例えば画像データが記録媒体３０７に記録された記録日時の新しい順又は古い順に設定される。これに代えて、印刷優先パラメータは、印刷データの作成日時、即ち印刷対象の画像に対応する画像データを選択した選択日時の新しい順又は古い順に設定されてもよい。
【００４０】
または、画像データの縦横サイズや印刷レイアウトの設定により、画像の回転処理を行って印刷するように設定されている場合に、画像の回転処理を伴わないようなものから印刷を行うようにしてもよい。これにより、回転処理に伴う電力消費を少しでも軽減しながらより多くの印刷が可能になる。
【００４１】
図７によれば、印刷優先パラメータを簡単に設定することができるので、ユーザの操作性を向上させることができる。
【００４２】
図８は、図５の印刷設定画面５００において設定項目としてバッテリ残量警告設定５３０が選択されたときに表示されるバッテリ残量警告設定画面の構成を例示する図である。
【００４３】
図８に示すバッテリ残量警告設定画面８００には、後述する設定値を調節するためのバッテリ残量警告設定インジケータ８１０が表示されていると共に、表示部３０８の表示を印刷設定画面５００に戻すための「戻る」ボタン８９０とが設けられている。
【００４４】
図８において、バッテリ残量警告設定インジケータ８１０が示す所定の設定値を、例えば２０％（２７８ｍＡｈ）に調節する（容量所定値設定手段）。これにより、バッテリ監視部３１２がバッテリ３１３の残量が調節された値になったことを検出したときに、バッテリ３１３の残量が少ないことを示す警告を行う設定を行うことができる。バッテリ残量警告設定インジケータ８１０は、上記設定値に加えて、現在のバッテリ３１３の残量を表示してもよい。
【００４５】
図８によれば、バッテリ残量警告設定インジケータ８１０が示す設定値を簡単に調節することができるので、ユーザの操作性を向上させることができる。
【００４６】
図９は、図３のＤＶＣ３００が印刷モードであるときに印刷制御装置によって実行される印刷処理のフローチャートである。
【００４７】
図９において、まず、ステップＳ９０１では、図５の印刷設定画面５００を介して所定の印刷データに対して印刷設定が行われたか否かを判別し、印刷設定が行われたときは、その設定内容を印刷設定ファイルに書き込んで（ステップＳ９０２）ステップＳ９０３に進み、一方、印刷設定が行われなかったときは、ステップＳ９０２の処理をスキップして、ステップＳ９０３に進む。なお、印刷設定が行われなかったときは、印刷設定ファイルには既定値が書き込まれている。
【００４８】
続いて、印刷実行が決定されるまで（ステップＳ９０３でＮＯ）、ステップＳ９０１〜Ｓ９０２の処理を繰り返すことによって、記録媒体３０７に記録されている複数の画像データの中から他の印刷データを選択し、該選択した印刷データに対する印刷設定を行う。
【００４９】
印刷実行が決定されたときは（ステップＳ９０３でＹＥＳ）、印刷設定ファイルを読み込んで印刷設定の内容を取得し（ステップＳ９０４）、バッテリ監視部３１２からＤＶＣ３００の電源情報、即ちバッテリ３１３の残量を取得し（ステップＳ９０５）（検出手段）、この取得した電源情報と、図８のバッテリ残量警告設定画面８００における設定値とを比較することにより、バッテリ３１３の残量が設定値よりも少ないか否かを判別し（ステップＳ９０６）、バッテリ３１３の残量が少ないときは、図７の印刷優先設定画面７００を介して設定された印刷優先パラメータ、例えば画像サイズの昇順に従って、複数の印刷データに対応する画像１００１〜１００４の印刷順序（図１０（ａ））を、例えば図１０（ｂ）に示すような印刷順序、即ち画像サイズの小さい順に並び替え（ステップＳ９０７）（変更手段）、まず、画像サイズが最も小さい画像１００４に対応する印刷ジョブを実行する（ステップＳ９０８）。このとき、全ての印刷ジョブの実行が終了していないので（ステップＳ９０９でＮＯ）、ステップＳ９０５〜Ｓ９０９の処理を繰り返すことにより、続いて、画像１００２、画像１００１、及び画像１００３に対応する印刷ジョブを順次実行する。そして、全ての印刷ジョブの実行が終了したときは、本処理を終了する。
【００５０】
一方、バッテリ３１３の残量が少なくないときは、ステップＳ９０７の印刷順序の並び替え処理をスキップして、ステップＳ９０８以降の印刷処理を実行する。
【００５１】
図９の処理によれば、バッテリ３１３の残量が少ないときは（ステップＳ９０６でＹＥＳ）、印刷順序が例えば画像サイズの小さい順となるように印刷順序を並び替えるので（ステップＳ９０７）、使用可能なバッテリ３１３の残量に応じて、撮影した画像の直接的な印刷を効率的に行うことができる。具体的には、バッテリ３１３の電力を完全に消費するまで、ユーザが印刷を所望した画像データに対応する画像を優先して印刷することができる。また、バッテリ３１３の残量が少なくないときは（ステップＳ９０６でＮＯ）、印刷順序の並び替え処理をスキップするので、撮影した画像の直接的な印刷を確実に行うことができる。
【００５２】
また、表示部３０８の表示画面を見ながら印刷を所望する画像を選択する必要をなくすことができるので、表示部３０８の電源を切断して、バッテリ３１３から供給された電力の消費を抑制することができる。
【００５３】
なお、図９の処理は、印刷データが１つであるときは、ステップＳ９０５〜Ｓ９０７の処理をスキップするように構成されていてもよい。
【００５４】
上記実施の形態では、印刷制御装置に電力を供給する蓄電装置として、ＤＶＣ３００のバッテリ３１３を用いたが、プリンタ２００のバッテリを用いてもよい。
【００５５】
また、上記実施の形態では、印刷装置は、携帯型プリンタ２００であるとしたが、携帯型のものに限られることはない。画像入力装置は、ＤＶＣ３００であるとしたが、ディジタルカメラなどの撮像装置など、印刷装置に画像データを入力可能な装置であればいかなるものであってもよい。印刷装置と画像入力装置を互いに接続するものは、ＵＳＢケーブル１２０を用いたが、これに限られることはなく、有線又は無線のネットワークであればいかなるものを用いてもよい。
【００５６】
また、本発明の目的は、上述した実施の形態の機能を実現するソフトウェアのプログラムコードを記録した記憶媒体を、システム或いは装置に供給し、そのシステム或いは装置のコンピュータ（又はＣＰＵやＭＰＵ等）が記憶媒体に格納されたプログラムコードを読み出して実行することによっても達成される。
【００５７】
この場合、記憶媒体から読み出されたプログラムコード自体が上記実施の形態の機能を実現することになり、そのプログラムコード及び該プログラムコードを記憶した記憶媒体は本発明を構成することになる。
【００５８】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００５９】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００６０】
更に、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【産業上の利用可能性】
【００６１】
本発明の実施の形態に係る印刷制御装置は、画像を印刷する印刷装置に画像データを入力可能な画像入力装置、例えばディジタルカメラやカメラ一体型ＶＴＲに適用することができる。
【図面の簡単な説明】
【００６２】
【図１】本発明の実施の形態に係る印刷制御装置を備える撮像装置を含む印刷システムの構成を概略的に示すブロック図である。
【図２】図１におけるプリンタの構成を詳細に示すブロック図である。
【図３】図１におけるカメラ一体型ＶＴＲの構成を詳細に示すブロック図である。
【図４】図３のカメラ一体型ＶＴＲが印刷モードであるときに表示部に表示される印刷メニュー画面の構成を例示する図である。
【図５】図４の印刷メニュー画面においてメニュー項目として印刷設定が選択されたときに表示される印刷設定画面の構成を例示する図である。
【図６】図５の印刷設定画面において設定項目として各画像の印刷設定が選択されたときに表示される各画像の印刷設定画面の構成を例示する図である。
【図７】図５の印刷設定画面において設定項目として印刷優先設定が選択されたときに表示される印刷優先設定画面の構成を例示する図である。
【図８】図５の印刷設定画面において設定項目としてバッテリ残量警告設定が選択されたときに表示されるバッテリ残量警告設定画面の構成を例示する図である。
【図９】図３のカメラ一体型ＶＴＲが印刷モードであるときに印刷制御装置によって実行される印刷処理のフローチャートである。
【図１０】図９のステップＳ９０７において実行される印刷順序の並び替え処理を説明する図であり、（ａ）は印刷順序を並び替える前の状態を、（ｂ）は印刷順序を並び替えた後の状態を示す。
【符号の説明】
【００６３】
１００  印刷システム
１２０  ＵＳＢケーブル
２００  携帯型プリンタ
３００  カメラ一体型ＶＴＲ（ＤＶＣ）
３０１  ＣＰＵ
３０７  記録媒体
３１１  通信部
３１２  バッテリ監視部
３１３  バッテリ
７００  印刷優先設定画面
８００  バッテリ残量警告設定画面
【図１】
2006227903.tif 000003
【図２】
2006227903.tif 000004
【図３】
2006227903.tif 000005
【図４】
2006227903.tif 000006
【図５】
2006227903.tif 000007
【図６】
2006227903.tif 000008
【図７】
2006227903.tif 000009
【図８】
2006227903.tif 000010
【図９】
2006227903.tif 000011
【図１０】
2006227903.tif 000012